(57)【要約】【課題】原稿押圧板によってコンタクトガラスの上面に密着された原稿の密着を、原稿押圧板の開放動作に連動して解消し、原稿を取り出しを容易にする。【解決手段】後端位置決め部材５４の後端規制面５５の後端を合わせて原稿をセットする。原稿押圧板を閉鎖位置から開放位置Ｍ１に移動させると、ヒンジ７３の揺動軸７５と一体のカム部材８１が回転して、押し出し部材８２を前方に移動させ、その先端８５ｃを、後端規制面５５から後方に退避していた退避位置から、後端規制面５５から前側に突出する押し出し位置Ｎ１に配置する。これにより、原稿の後端を押し出してコンタクトガラスに対する密着を解消する。【選択図】図５
2008203722.tif 000002
【特許請求の範囲】
【請求項１】
上面に原稿載置面を有する原稿載置台本体と、前記原稿載置台本体によって開閉自在に支持された原稿押圧板とを備え、前記原稿押圧板が、前記原稿載置面の後方に位置する揺動軸を基準に揺動して、前記原稿載置面上にセットされた原稿を押圧する閉鎖位置と、前記原稿載置面の上方を開放して原稿のセット及び取り出しを可能にする開放位置とをとる原稿載置台において、
前記原稿載置面の後端に配置された後端規制面を有し、前記原稿載置面上にセットされる原稿の後端が前記後端規制面に当接されることで原稿の後端の位置決めを行う後端位置決め部材と、
前記原稿押圧板の開放動作に連動して、前記原稿載置面上にセットされた原稿の後端を押し出す押し出し機構、とを備え、
前記押し出し機構は、
前記原稿載置面の後端側において前後方向移動可能に配設されるとともに、先端を前記後端規制面から前側に突出させる押し出し位置と、前記後端規制面よりも後側に退避させる退避位置とをとる押し出し部材と、
前記押し出し部材の後方において前記揺動軸に取り付けられて前記原稿押圧板の閉鎖動作に連動して正回転し、開放動作に連動して逆回転するカム部材と、
前記カム部材に前記押し出し部材の後端側を当接させる付勢部材と、を有し、
前記原稿押圧板の閉鎖動作に伴う前記カム部材の正回転により、前記押し出し部材を前記押し出し位置から退避位置に移動させ、前記原稿押圧板の開放動作に伴う前記カム部材の逆回転により、前記押し出し部材を前記退避位置から前記押し出し位置に移動させる、
ことを特徴とする原稿載置台。
【請求項２】
前記押し出し部材が、板状に形成されていて、前記カム部材の正回転及び逆回転によって前記原稿載置面上を摺擦するように移動する、
ことを特徴とする請求項１に記載の原稿載置台。
【請求項３】
前記押し出し部材における少なくとも前端側の前記後端規制面から出入りする部分は、前記位置決め部材よりも薄く形成されている、
ことを特徴とする請求項２に記載の原稿載置台。
【請求項４】
前記原稿載置面の左端に配置された左端規制面を有し、前記原稿載置面上にセットされる原稿の左端が前記左端規制面に当接されることで原稿の左端の位置決めを行う左端位置決め部材を備え、
前記押し出し部材が、前記原稿載置面において前記後端規制面及び左端規制面によって位置決めされた状態の原稿の後端に対応する位置に配置されている、
ことを特徴とする請求項１乃至３のいずれか１項に記載の原稿載置台。
【請求項５】
画像読み取りに係る原稿が載置される原稿載置面を有する原稿載置台、前記原稿載置面にセットされた原稿の画像を読み取る画像読取部とを備えた画像読取装置において、
前記原稿載置台が、請求項１乃至４のいずれか１項に記載の原稿載置台である、
ことを特徴とする画像読取装置。
【発明の詳細な説明】
【技術分野】
【０００１】
本発明は、画像読取時にコンタクトガラス上に原稿を密着させる原稿載置台、及びこれを備えた画像読取装置に関する。
【背景技術】
【０００２】
複写機，プリンタ等の画像形成装置で使用される画像読取装置において、原稿がセットされるコンタクトガラスを有する載置台本体と、この載置台本体によって開閉自在に支持された原稿押圧板とを備えたものが知られている。
【０００３】
この原稿読取装置においては、原稿押圧板を開放してコンタクトガラス上の所定の位置に、画像面を下向きにして原稿をセットする。つづいて、原稿押圧板を閉鎖して原稿の画像面をコンタクトガラスに密着させる。その後、コンタクトガラスの下方に配設されている光源によって原稿の画像面を照射し、その反射光を反射ミラーやレンズを介してＣＣＤに導くことで画像を読み取るようにしている。
【０００４】
上述のように、原稿の読取時には、その画像面をコンタクトガラスに密着させることが必要である。原稿がコンタクトガラスから浮いてしまうと、その浮いた部分から反射光に基づく画像が実際よりも黒くなってしまうからである。
【０００５】
このように、画像読取時に原稿を密着させるため、画像読取後に原稿押圧板を開放して、原稿をコンタクトガラス上から除去する際に、原稿が外れにくい場合がある。これは、平滑度の高い原稿の場合、例えば、アート紙やコート紙、ＯＨＰフィルム（オーバーヘッドプロジェクトの投影に使用する透明フィルム）特に顕著である。
【０００６】
特許文献１，２には、画像読取後の原稿を、コンタクトガラス上から簡単に除去できるようにした発明が開示されている。
【０００７】
特許文献１では、コンタクトガラスを冷却するためのファンを利用して、画像読取後の原稿に対しエアを吹き付けてコンタクトガラス上から浮き上がらせ、除去を容易にするものである。
【０００８】
特許文献２は、原稿押圧板を閉鎖した際に、コンタクトガラスと原稿押圧板との間に空気層ができるようにして、画像読取時の原稿の密着度を低くするものである。
【特許文献１】特開平４−１１６８４６号公報
【特許文献２】特開２００６−２１１４６５号公報
【発明の開示】
【発明が解決しようとする課題】
【０００９】
しかしながら、上述の特許文献１によると、コンタクトガラスの端部に配設した原稿の位置決め部材を可動に構成して、コンタクトガラスと位置決め部材との隙間からエアを原稿の端部に吹き付けたり、コンタクトガラスと位置決め部材との間にあらかじめ間隙を設けてこの間隙からエアを吹き付けたりするため、前者では、位置決め部材を動かすための構成が必須となり構造が複雑になるという問題があり、また、後者では、間隙から、光源等を有する光学系に塵埃が進入するといった問題がある。また、いずれも場合も、ファンからのエアを導くためのダクト等が必要であり、その分、構成が複雑になるという問題があった。つまり、特許文献１によると、構成が複雑になったり、塵埃が光学系に進入したりするという問題がある。
【００１０】
一方、特許文献２によると、コンタクトガラスの手前側でスペーサを出入りさせるために、コンタクトガラスの奥側から手前側にいたるスペーサ作動レバーを設ける等、比較的構成が複雑となるという問題があった。
【００１１】
そこで、本発明は、構成が簡単で、また光学系に塵埃が進入することがなく、原稿載置台の原稿を容易に取り出すことができるようにした原稿載置台及びこれを備えた画像読取装置を提供することを目的とするものである。
【課題を解決するための手段】
【００１２】
請求項１に係る発明は、上面に原稿載置面を有する原稿載置台本体と、前記原稿載置台本体によって開閉自在に支持された原稿押圧板とを備え、前記原稿押圧板が、前記原稿載置面の後方に位置する揺動軸を基準に揺動して、前記原稿載置面上にセットされた原稿を押圧する閉鎖位置と、前記原稿載置面の上方を開放して原稿のセット及び取り出しを可能にする開放位置とをとる原稿載置台に関する。この発明に係る駆る原稿載置台は、前記原稿載置面の後端に配置された後端規制面を有し、前記原稿載置面上にセットされる原稿の後端が前記後端規制面に当接されることで原稿の後端の位置決めを行う後端位置決め部材と、前記原稿押圧板の開放動作に連動して、前記原稿載置面上にセットされた原稿の後端を押し出す押し出し機構、とを備え、前記押し出し機構は、前記原稿載置面の後端側において前後方向移動可能に配設されるとともに、先端を前記後端規制面から前側に突出させる押し出し位置と、前記後端規制面よりも後側に退避させる退避位置とをとる押し出し部材と、前記押し出し部材の後方において前記揺動軸に取り付けられて前記原稿押圧板の閉鎖動作に連動して正回転し、開放動作に連動して逆回転するカム部材と、前記カム部材に前記押し出し部材の後端側を当接させる付勢部材と、を有し、前記原稿押圧板の閉鎖動作に伴う前記カム部材の正回転により、前記押し出し部材を前記押し出し位置から退避位置に移動させ、前記原稿押圧板の開放動作に伴う前記カム部材の逆回転により、前記押し出し部材を前記退避位置から前記押し出し位置に移動させる、ことを特徴としている。
【００１３】
請求項２に係る発明は、請求項１に係る原稿載置台において、前記押し出し部材が、板状に形成されていて、前記カム部材の正回転及び逆回転によって前記原稿載置面上を摺擦するように移動する、ことを特徴としている。
【００１４】
請求項３に係る発明は、請求項２に係る原稿載置台において、前記押し出し部材における少なくとも前端側の前記後端規制面から出入りする部分は、前記位置決め部材よりも薄く形成されている、ことを特徴としている。
【００１５】
請求項４に係る発明は、請求項１乃至３のいずれか１項に係る原稿載置台において、前記原稿載置面の左端に配置された左端規制面を有し、前記原稿載置面上にセットされる原稿の左端が前記左端規制面に当接されることで原稿の左端の位置決めを行う左端位置決め部材を備え、前記押し出し部材が、前記原稿載置面において前記後端規制面及び左端規制面によって位置決めされた状態の原稿の後端に対応する位置に配置されている、ことを特徴としている。
【００１６】
請求項５に係る発明は、画像読み取りに係る原稿が載置される原稿載置面を有する原稿載置台、前記原稿載置面にセットされた原稿の画像を読み取る画像読取部とを備えた画像読取装置に関する。この発明に係る画像読取装置は、前記原稿載置台が、請求項１乃至４のいずれか１項に記載の原稿載置台である、ことを特徴としている。
【発明の効果】
【００１７】
本発明によると、押し出し機構は、原稿押圧板の開閉動作に連動して、押し出し部材が、原稿載置面にセットされている原稿の後端を押し出すことができるので、原稿載置面対する原稿の密着を解消して、原稿の取り出しを容易に行うことができる。
【発明を実施するための最良の形態】
【００１８】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
【００１９】
＜実施形態１＞
図１〜図１０を参照して、本発明に係る原稿載置台１５及びこれを備えた画像読取装置１６について説明する。このうち図１は、画像読取装置１６を備えた画像形成装置１の内部の構造を正面側から見た模式図である。図２は、原稿押圧板５１が開放位置Ｍ１に配置された原稿載置台１５を正面側左斜め上方から見た斜視図である。図３は、図２の状態の原稿載置台１５の分解斜視図である。図４〜図１０は、押し出し機構８０の動作を説明する図である。このうち、図４，図５はそれぞれ原稿押圧板が開放位置に配置されたときの押し出し機構８０の状態を示す、左側面図、斜視図である。図６，図７はそれぞれ原稿押圧板５１が開放位置Ｍ１と閉鎖位置（図８中のＭ２参照）との間の中間位置に配置されたときの押し出し機構８０の状態を示す、左側面図、斜視図である。図８は、原稿押圧板５１が閉鎖位置Ｍ２に配置された原稿載置台１５を正面側左斜め上方から見た斜視図である。図９，図１０はそれぞれ原稿押圧板５１が閉鎖位置Ｍ２に配置されたときの押し出し機構８０の状態を示す、左側面図、斜視図である。なお、図４〜図７，図９，図１０においては、原稿押圧板５１の蓋部材７０は図示を省略している。
【００２０】
画像形成装置１には、図１に示すように、その画像形成装置本体２に、シート給送部１０と、画像形成部１１と、定着部１２と、シート排出部１３と、画像読取部１４と、原稿載置台１５とが設けられている。なお、本実施形態では、画像読取部１４と原稿載置台１５とによって画像読取装置１６を構成している。
【００２１】
シート給送部１０は、給紙カセット２０内に積層状態で収納されたシートＳのうち、最上位に位置するものを給紙ローラ２１によって給紙し、給送ローラ２２及びリタードローラ２３によって重送を防止しながら１枚だけ下流側のレジストローラ対２４に搬送する。停止中のレジストローラ対２４によって斜行が防止されたシートＳは、次に説明する画像形成部１１の感光ドラム２５の回転にタイミングを合わせるようにして、レジストローラ対２４によって画像形成部１１に供給される。
【００２２】
画像形成部１１には、所定のプロセススピード（周速度）で矢印方向（図１中の時計回り）に回転する感光ドラム（電子写真感光体）２５が配設されている。感光ドラム２５は、その表面が帯電器２６によって所定の極性・電位に一様に帯電される。帯電後の感光ドラム２５の表面は、後述する画像読取部１４が読み取った画像情報に基づいて、露光装置２７により露光が行われ、露光部分の電荷が除去されて静電潜像が形成される。この静電潜像は、現像装置２８によってトナーが付着されてトナー像として現像される。このトナー像は、上述のシート給送部１０から供給されたシートＳに、転写ローラ２９によって転写される。トナー像転写後の感光ドラム２５は、表面の転写残トナーがクリーニング装置３０によって除去されて次の画像形成に供される。
【００２３】
定着部１２には、ヒータ３１を内蔵した定着ローラ３２と、これに圧接された加圧ローラ３３が配設されている。画像形成部１１によってトナー像が転写されたシートＳは、定着ローラ３２と加圧ローラ３３との間の定着ニップ部を通過する際に加熱・加圧されて、表面にトナー像が定着される。
【００２４】
シート排出部１３には、排紙ローラ対３４、排紙トレイ３５が配設されている。トナー像転写後のシートＳは、排紙ローラ対３４により、排紙トレイ３５に排出される。
【００２５】
画像読取部１４は、左右方向に移動可能なフレーム４０が配設されていて、このフレーム４０には、光源４１、第１のミラー４２が搭載されている。同じく左右方向に移動可能なフレーム４３が配設されていて、このフレーム４３には第２のミラー４４、第３のミラー４５が搭載されている。また、画像読取部１４には、レンズ４６、ＣＣＤ４７等を有するスキャナユニット４８が配設されている。本実施形態では、この画像読取部１４と、この画像読取部１４の上を覆うように配設された原稿載置台１５とによって画像読取装置１６を構成している。
【００２６】
原稿載置台１５は、図２，図３に示すように、原稿載置台本体５０と、この原稿載置台本体５０によって開閉自在に支持された原稿押圧板５１とを備えており、さらに、これら原稿載置台本体５０と原稿押圧板５１との間に介装された押し出し機構８０を備えている。
【００２７】
原稿載置台本体５０は、額縁状の本体フレーム５２と、この本体フレーム５２の内側に嵌め込まれたコンタクトガラス５３とを有している。
【００２８】
コンタクトガラス５３は、透明なガラスを長方形状に形成したものであり、その大きさは、読取可能な最大サイズの原稿Ｄ（例えば、Ａ３サイズ）よりも大きい長方形状に形成されている。コンタクトガラス５３の上面は、原稿Ｄが載置される原稿載置面Ｍとなっていて、コンタクトガラス５３の下方には、上述の、光源４１等を有する画像読取部１４が配置されている。コンタクトガラス５３の後端側には、後端位置決め部材５４が配設されている。後端位置決め部材５４は、左右方向に長い薄板状（例えば、厚さ２ｍｍ程度）に形成されていて、コンタクトガラス５３の後端側の上面に密着するようにして配置されている。後端位置決め部材５４は、その前端縁に、コンタクトガラス５３の上面にセットされる原稿Ｄの後端Ｄ１が当接される後端規制面５５が形成されている。つまり、後端規制面５５は、コンタクトガラス５３の上面からの高さが２ｍｍ程度で左右方向に長い直線状に形成されている。本実施形態では、後端位置決め部材５４は、左端近傍に切欠き部５６を有している。この切欠き部５６は、図３に示すように、後端位置決め部材５４が中断されている部分であり、コンタクトガラス５３の上面が露出している部分である。この切欠き部５６に、後述する押し出し機構８０の押し出し部材８２が配設されるようになっている。コンタクトガラス５３の左端側には、左端位置決め部材５７が配設されている。左端位置決め部材５７は、前後方向に長い薄板状（例えば、厚さ２ｍｍ程度）に形成されていて、コンタクトガラス５３の左端側の上面に密着するようにして配置されている。左端位置決め部材は、その右端縁に、コンタクトガラス５３の上面にセットされる原稿Ｄの左端Ｄ２が当接される左端規制面５８が形成されている。つまり、左端規制面５８は、コンタクトガラス５３の上面からの高さが２ｍｍ程度で前後方向に長い直線状に形成されている。上述の後端位置決め部材５４の後端規制面５５と、左端位置決め部材５７の左端規制面５８とが交差する部分が基準点Ｐとなる。この基準点Ｐは、原稿Ｄをコンタクトガラス５３の上面にセットする際の基準となる。すなわち、原稿Ｄをコンタクトガラス５３の上面にセットする際には、その画像面を下方に向けた状態で、原稿Ｄの１つの角部を基準点Ｐに合わせ、原稿Ｄの後端Ｄ１及び左端Ｄ２をそれぞれ後端規制面５５及び左端規制面５８に当接させる。これにより、原稿Ｄの前後方向及び左右方向に位置決めをすることができる。なお、上述の後端位置決め部材５４の上面には左右方向に沿って、また、左端位置決め部材５７の上面には前後方向に沿って、それぞれ原稿サイズを示すＢ５，Ａ４等の表示（不図示）が複数、記載されている。
【００２９】
図３に示すように、本体フレーム５２における、コンタクトガラス５３の後方に位置する部分には、左右方向の位置が異なる２箇所に、後述する原稿押圧板５１を支持するための台座６０が設けてある。台座６０の中央には、四角柱状の挿入孔６１が上下方向に向けて設けてあり、後述する原稿押圧板５１のヒンジ７３の支柱７４が挿入されるようになっている。これら台座６０は、左右方向に長い後カバー６２によって覆われている。この後カバー６２には、挿入孔６１に対応する部分に同形の透孔６３が形成されており、また、後述の押し出し部材８２の移動をガイドするフック状の一対のガイド６４が突設されている。このガイド６４の近傍には、前後方向に長い短冊状の透孔６５が穿設されている。この透孔６５には、後述する押し出し機構８０のカム部材８１が配設される。また、透孔６５の右側には、センサ窓６６が形成されている。このセンサ窓６６からは、図２に示すように、本体フレーム５２に配設された開閉センサ６７の先端が突き出している。この開閉センサ６７は、原稿押圧板５１側の押圧部６８に係脱されることで、原稿押圧板５１の開閉を検知するものである。後カバー６２の上面は、コンタクトガラス５３の上面と高さが一致するようになっている。
【００３０】
原稿押圧板５１は、図２，図３に示すように、蓋部材７０と、スポンジ７１と、ビニルシート７２と、一対のヒンジ７３とを有している。このうち蓋部材７０は、４辺に裏面側（図２中の右側の面）に屈曲された周縁部を有するパネルであり、裏面側に、長方形状の板状のスポン７２ジが取り付けられている。このスポンジ７２の表面には、白色のビニルシート７３が取り付けられている。スポンジ７２及びビニルシート７３は、上述のコンタクトガラス５３の上面よりもわずかに大きく形成されていて、コンタクトガラス５３上の原稿Ｄを上方から押圧する際に、上述の後端位置決め部材５４及び左端位置決め部材５７の一部にかかるようになっている。
【００３１】
ヒンジ７３は、図３，図４に示すように、角柱状の支柱７４と、この支柱７４によって揺動可能に支持された揺動軸７５と、この揺動軸７５と一体の取付部材７６とを有している。支柱７４は、上述の原稿載置台本体５０側の挿入孔６１に上方から挿入されるのみで、特に固定するようなことはない。これにより、原稿Ｄとして、例えば、雑誌や参考書等の厚手の書籍を使用する場合には、原稿押圧板５１を閉鎖位置Ｍ２に配置したときに、原稿Ｄの厚さに応じて、挿入孔６１内で支柱７４が上方に移動し、原稿押圧板５１の基端側が上方に浮き上がるようになっている。一方、取付部材７６は、上述の蓋部材７０の裏面側における基端側に固定されている。本実施形態では、蓋部材７０の基端側の、左右方向に位置が異なる２箇所に固定されている。本実施形態では、揺動軸７５は、その左端側が左方に突設されていて、後述する押し出し機構８０のカム部材８１が固定されるようになっている。なお、ヒンジ７３には、原稿押圧板５１を開放方向に付勢する付勢部材（不図示）が配設されていて、開閉動作時に自重を適度に相殺して原稿押圧板５１の開閉動作が軽く行うことができるようになっている。
【００３２】
原稿押圧板５１は、原稿載置台本体５０により、ヒンジ７３の揺動軸７５を基準として揺動自在に支持されており、コンタクトガラス５３の上面の原稿Ｄを上方から押圧してコンタクトガラス５３に密着させる閉鎖位置Ｍ２（図８参照）と、コンタクトガラス５３の上方を開放してコンタクトガラス５３に対する原稿Ｄのセット及び取り出しを可能にする開放位置Ｍ１（図２参照）とをとることができる。
【００３３】
押し出し機構８０は、原稿載置台本体５０と原稿押圧板５１との間に介装されている。押し出し機構８０は、図４，図５に示すように、カム部材８１と、押し出し部材８２と、圧縮ばね（付勢部材）８３とを有している。
【００３４】
カム部材８１は、上述のヒンジ７３の揺動軸７５における左方に突出された部分に固定されていて、原稿押圧板５１の開閉動作に連動して、原稿押圧板５１の揺動角度と同じ角度だけ回転する。カム部材８１は、外周面にカム面８４を有する平面カムであり、揺動軸７５の中心からカム面８４までの距離が、回転角度によって異なるようになっている。このカム部材８１のすぐ前には、押し出し部材８２が配設されている。
【００３５】
押し出し部材８２は、短冊状の本体８５と、本体８５の後端から上方に立設されたカム当接部８６と、本体８５の後端近傍から下方に垂下されたばね取付部８７とを有している。本体８５は、上述の後カバー６２のガイド６４によってガイドされる後半部８５ａが厚く形成され、前半部８５ｂが薄く形成されている。この前半部８５ｂは、上述の後端位置決め部材５４の厚さ（ほぼ２ｍｍ）よりも薄い、例えば、１ｍｍ程度に設定されている。これは、後述するように、コンタクトガラス５３の上面の原稿Ｄとともに本体８５が、原稿押圧板５１によって押圧された際にも、押し出し部材８２が円滑に前後方向に移動することができるようにするためである。また、原稿Ｄのセット時には、後述するように、本体８５の先端８５ｃは、後端位置決め部材５４の後端基準面５５から前方に突出することになり、この突出部分に原稿Ｄの一部が載せられることになる。この場合、仮に、本体８５の前半部８２ｂが後端位置決め部材５４よりも厚いとすると、原稿Ｄのセット時に、この部分で、原稿Ｄの後端Ｄ１が後端位置決め部材５４の上方に位置してしまい、後端Ｄ１の位置決めがしにくくなってしまう。ここで、押し出し部材８２が原稿Ｄをコンタクトガラス５３の上面にセットする際に邪魔にならないようにする、という観点からは、本体８５の前半部８５ｂは、薄いほうが好ましいが、後述するように、原稿押圧板５１の開放動作に連動して、原稿Ｄの後端Ｄ１を押し出す、という観点からは、適度な強度（厚さ）が必要となる。本実施形態では、以上を考慮して、押し出し部材８２の本体８５の前半部の厚さは、１ｍｍ程度に設定している。
【００３６】
カム当接部８６は、上述のように本体８５の後端において上方に突設するように形成されており、背面側は平面状に形成されていて、カム部材８１のカム面８４が摺擦されるカム摺擦面８６ａとなる。本実施形態では、カム摺擦面８６ａは、上述のように、原稿Ｄが書籍等の厚手のものである場合に、原稿押圧板５１とともにカム部材８１が上方に浮き上がることを考慮して、この場合でもカム面８４がカム摺擦面８６ａから外れないように、上下方向に長く形成してある。
【００３７】
ばね取付部８７は、図５に示す後カバー６２の透６５孔から下方に垂下するように配置されており、図４に示すように、後カバー６２の下面から下方に突設された台座部９０との間に後述する圧縮ばね８３が介装されるようになっている。なお、圧縮ばね８３の脱落を防止するため、ばね取付部８３から前方に向けて、円柱状のばね保持部（不図示）が突設されていて、圧縮ばね８３の内側に入り込むようになっている。
【００３８】
以上の押し出し部材８２は、その本体８５の前半部８５ｂが、後端位置決め部材５４の切欠き部５６に位置するように配設されており、後カバー６２のガイド６４にガイドされた状態で、後カバー６２の上面及びコンタクトガラス５３の上面を摺擦するように、前後方向に移動できるようになっている。これにより、押し出し部材８２は、その先端８５ｃが後端位置決め部材５４の後端規制面５５から前側に突出する押し出し位置Ｎ１（図５参照）と、後端規制面５５から後方に退避する退避位置Ｎ２（図１０参照）とをとることができるようになっている。
【００３９】
付勢部材としての圧縮ばね８３は、上述のばね取付部８７から前方に突出されたばね保持部に係合された状態で、ばね取付部８７と台座部９０との間に介装されて、押し出し部材８２をカム部材８１に向けて付勢している。これにより、押し出し部材８２は、そのカム当接部８６のカム摺擦面８６を、常時、カム部材８１のカム面８４に当接させるようにしている。
【００４０】
本実施形態では、押し出し機構８０は、２個のヒンジ７３のうちの、左側のヒンジ７３の左方に１個だけ配置されている。この場合には、右側のヒンジ７３には、カム部材８１は、不要ではあるが、本実施形態では、カム部材８１をヒンジ７３と一体に形成するため、同一の部材を使用するという観点から、右側のヒンジ７３にもカム部材８１が取り付けられている。なお、この右側のヒンジ７３のカム部材８１を利用して、右側のヒンジの左側にも、同様の押し出し機構８０を構成するようにしてもよい。
【００４１】
つづいて、上述の原稿載置台１５における、原稿押圧板５１の開閉動作と、押し出し機構の動作との関係について詳述する。本実施形態では、原稿押圧板５１の位置について、図２に示す位置、すなわち、原稿載置台本体５０に対して９０度よりも少し小さい角度で開放された位置を開放位置Ｍ１とする。このときのヒンジ７３及び押し出し機構８０を図４，図５に示す。また、図６，図７は、原稿押圧板５１を上述の開放位置Ｍ１と後述する閉鎖位置Ｍ２とのほぼ中間の中間位置に配置したとき（４０度程度開放された状態）のヒンジ７３及び押し出し機構８０の状態を示す。また、図８は、原稿押圧板５１が閉鎖位置Ｍ２に配置された状態を示す。図９，図１０は、このときのヒンジ７３及び押し出し機構８０の位置を示す。
【００４２】
カム部材８１については、図２，図４，図５に示す原稿押圧板５１の開放位置Ｍ１に対応して、カム面８４が揺動軸７５の中心から最も遠い位置に位置する第１の位置Ｃ１をとり、これに対応して、押し出し部材８２は、その先端８５ｃを後端規制面５５から前方に突出させる押し出し位置Ｎ１をとる。一方、カム部材８１は、原稿押圧板５１が図８，図９，図１０に示す閉鎖位置Ｍ２に配置されるのに対応して、カム面８４が揺動軸７５の中心に比較的近い第２の位置Ｃ２を取り、これに対応して、押し出し部材８２は、その先端８５ｃを後端規制面５５から後方に退避させる退避位置Ｎ２をとる。
【００４３】
以上の原稿押圧板５１、押し出し機構８０のカム部材８１及び押し出し部材８２の位置関係に基づいて、原稿載置台１５の動作について説明する。
【００４４】
図２に示すように、原稿押圧板５１が開放位置Ｍ１に配置されたときには、図４，図５に示すように、カム部材８１が第１の位置Ｃ１に配置され、これにより、押し出し部材８２は、カム部材８１のカム面８４に押されて、圧縮ばね８３の付勢力に抗して、押し出し位置Ｎ１に配置される。この状態で、コンタクトガラス５３の上面（原稿載置面Ｍ）に原稿Ｄをセットする。原稿Ｄの１つの角部を基準点Ｐに合わせ、後端Ｄ１を後端位置決め部材５４の後端規制面５５に当接させ、また、左端Ｄ２を左端位置決め部材５７の左端規制面５８に当接させる。この際、原稿押圧板５１が開放位置Ｍ２に配置されて、コンタクトガラス５３の上方が大きく開放されるので、コンタクトガラス５３の上面（原稿載置面Ｍ）に対する原稿Ｄのセットを容易に行うことができる。また、この際、原稿Ｄの後端Ｄ１を後端規制面５５に当接させ、原稿Ｄの左端Ｄ２を左端規制面５８に当接させて位置決めするため、原稿Ｄにおける後端側の左端近傍が、押し出し部材８２の本体８５の前半部８５ｂの上に載せられることになる。しかし、上述のように、前半部８５ｂは、その厚さが後端位置決め部材５４の厚さよりも薄く設定されているので、前半部８５ｂの上面は、後端位置決め部材５４の上面よりも低い位置に位置することになる。したがって、原稿Ｄのセットに際して、原稿Ｄの後端を比較的容易に後端規制面５５に当接させることができ、押し出し部材８２が特に邪魔になるようなことはない。
【００４５】
ユーザは、コンタクトガラス５１の上面に原稿Ｄをセットした後、原稿押圧板５１を閉鎖する。これにより、原稿押圧板５１は、図２に示す開放位置Ｍ１から、図６，図７に示す中間位置を経て、図８〜図１０に示す閉鎖位置Ｍ２へと移動する。このとき、原稿押圧板５１の閉鎖動作に合わせて、揺動軸７５が図４中の時計回りに回転し、同様にカム部材８１が同方向に回転する。すなわち、カム部材８１は、図４，図５に示す第１の位置Ｃ１から時計回りに正回転し、図６，図７に示す状態を経由して、図９，図１０に示す第２の位置Ｃ２に至る。そして、このカム部材８１の正回転により、押し出し部材８２は、図４，図５に示す押し出し位置Ｎ１から図６，図７に示す状態を経由して、図９，図１０に示す退避位置Ｎ２に移動される。この退避位置Ｎ２においては、押し出し部材８２は、その先端８５ｃが、後端規制面５５よりも後方に位置する。つまり、押し出し部材８２は、原稿押圧板５１の閉鎖動作に連動して、押し出し位置Ｎ１から、後側に退避して退避位置Ｎ２に配置される。これにより、プラテンガラス５３の上面と原稿Ｄの下面とに間に入り込んでいた、押し出し部材８２の先端８２ｃは、引き抜かれ、原稿Ｄは、その下向きの画像面がコンタクトガラス５３の上面に押圧されて密着される。
【００４６】
ユーザは、原稿押圧板５１を閉鎖位置Ｍ１に配置した後、画像形成装置本体２（図１参照）に設置されている操作パネル（不図示）のコピーボタン（不図示）を押す。これにより、コンタクトガラス５３の上面にセットされている原稿Ｄの画像が、画像読取部１４により読み取られ、この読取り結果に基づいて、画像形成部１１において感光ドラム２５上にトナー像が形成される。このトナー像は、シート給送部１０から画像形成部１１に供給されたシートＳに転写され、さらに定着部１２でシートＳ上に定着される。トナー像が定着されたシートＳは、排紙トレイ３５上に排出される。これにより、画像形成が終了する。
【００４７】
画像形成終了後、ユーザが原稿押圧板５１を開放する。原稿押圧板５１は、図８〜図１０に示す閉鎖位置Ｍ２から、中間位置を経由して、図２，図４，図５に示す開放位置Ｍ１に移動される。これに伴い、カム部材８１は、図９，図１０に示す第２の位置Ｃ２から揺動軸７５を基準に反時計回りに回転して図４，図５に示す第１の位置Ｃ１に移動する。そして、押し出し部材８２は、カム部材８１の第２の位置Ｃ２から第１の位置Ｃ１への移動に伴って、退避位置Ｎ２から押し出し位置Ｎ１に移動する。つまり、押し出し部材８２の先端８５ｃが、後端規制面５５の後方から前方に押し出されることになる。これにより、押し出し部材８２の先端８５ｃが、コンタクトガラス５３にセットされている原稿Ｄの後端Ｄ１を押して移動させる。この押し出しによって、コンタクトガラス５３の上面に対する原稿Ｄの密着が解消され、コンタクトガラス５３の上面からの原稿Ｄの取り出しを容易に行うことができる。なお、押し出し部材８８の先端８５ｃによって原稿Ｄの後端Ｄ１をうまく押し出すことができなかった場合でも、この先端８５ｃがコンタクトガラス５３の上面と原稿Ｄの下面との間に入り込むことになるので、これにより少なくとも先端８５ｃが入り込んだ部分では、コンタクトガラス５３に対する原稿Ｄの密着が解消されることになるので、この部分をきっかけとして原稿Ｄを容易に取り除くことができる。また、本実施形態では、図９に示すように、閉鎖位置Ｍ２にある原稿押圧板５１を開放する際には、カム部材８１は、揺動軸７５を中心として、同図中の反時計回りに回転して、押し出し部材８２側のカム当接部８６のカム摺擦面８６ａを、下方から上方に向かって擦り上げる。押し出し部材８２は、このとき作用する摩擦力により、後端側が上方に押し上げられるため、先端側は、中間に位置するガイド６４を中心として、下方のコンタクトガラス５３の表面に押し付けられることになる。すなわち、押し出し部材８２は、原稿押圧板５１の開放動作に連動して、退避位置Ｎ２から押し出し位置Ｎ１に押し出される際に、その先端側がコンタクトガラス５３の表面の押し付けられながら押し出されるので、コンタクトガラス５３の上面から浮き上がることなく、コンタクトガラス５３の上面にセットされている原稿Ｄの後端Ｄ１を確実に押し出すことができる。
【００４８】
コンタクトガラス５３の上面から原稿Ｄを取り除いた後、原稿押圧板５１を閉鎖すると、押し出し機構８０の押し出し部材８２は、退避位置Ｍ２に引っ込む。
【００４９】
上述の原稿載置台１５は、原稿載置台本体５０と原稿押圧板５１との間に押し出し機構８０が介装されていて、原稿押圧板５１の閉鎖動作に連動して、押し出し部材８２が後端規制面５５から退避し、また、原稿押圧板５１の開放動作に連動して、押し出し部材８２が後端規制面５５から突出して、コンタクトガラス５３の上面にセットされている原稿Ｄを押し出すことができるので、コンタクトガラス５３に対する原稿Ｄの密着が解消されて、コンタクトガラス５３の上面からの原稿Ｄの取り出しを容易に行うことができる。また、コンタクトガラス５３の上面に原稿Ｄをセットする際には、押し出し部材８２の先端８５ｃが後端規制面５５から突出しているが、この部分の厚さを後端位置決め部材５４よりも薄く形成しているので、特に邪魔になったり支障をきたしたりするおそれはない。
【００５０】
また、上述では、押し出し機構８０を、後端位置決め部材５４の左端部近傍（基準点Ｐの近傍）に配置した。これにより、サイズの小さい原稿Ｄに対してもその後端Ｄ１を確実に押し出すことができるようにした。本発明は、これに限定されず、セットされる原稿Ｄの後端に対応する位置であれば、図２に示す位置よりもさらに右方にずらして、押し出し機構８０を配設するようにしてもよい。さらに、前述のように、押し出し機構８０を、後端位置決め部材５４の左右方向の異なる位置に、複数、配設するようにしてもよい。
【００５１】
また、上述では、押し出し部材８２の本体８５がほぼ短冊状であるものとして説明したが、これに代えて、先端８５ｃの形状を、直線状ではなく、前側に向かって凸状の曲線状に形成してもよい。
【００５２】
また、上述では、押し出し部材８２の本体８５の厚さを、後半部８５ａが厚く、前半部８５ｂが薄くなるような２段階に設定したが、これに変えて、例えば、後端側ほど厚く、先端側ほど厚さが漸減するように構成してもよい。ただし、この場合でも、少なくとも、後端規制面５５から出入りする先端側の厚さは、後端位置決め部材５４よりも薄くなることが好ましい。
【００５３】
また、本発明は、原稿押圧板５１の上面に自動原稿搬送装置が装着されている場合も同様に適用することができ、この場合も同様の効果を奏することができる。
【００５４】
なお、上述のおける原稿載置台の前後左右については、上述の限定されるものではなく、例えば、９０度回転させて、上述では後端側であった部分を、左端側又は右端側に配置するようにしてもよい。
【産業上の利用可能性】
【００５５】
本発明は、コンタクトガラスに対して原稿を後端基準でセットする場合を例に説明したが、先端基準でセットする場合にも適用が可能である。
【図面の簡単な説明】
【００５６】
【図１】画像読取装置を備えた画像形成装置の内部の構造を正面側から見た模式図である。
【図２】原稿押圧板が開放位置Ｍ１に配置された原稿載置台を正面側左斜め上方から見た斜視図である。
【図３】図２の状態の原稿載置台の分解斜視図である。
【図４】原稿押圧板が開放位置に配置されたときの押し出し機構の状態を示す左側面図である。
【図５】原稿押圧板が開放位置に配置されたときの押し出し機構の状態を示す斜視図である。
【図６】原稿押圧板が開放位置Ｍ１と閉鎖位置Ｍ２との間の中間位置に配置されたときの押し出し機構の状態を示す左側面図である。
【図７】原稿押圧板が開放位置Ｍ１と閉鎖位置Ｍ２との間の中間位置に配置されたときの押し出し機構の状態を示す斜視図である。
【図８】原稿押圧板が閉鎖位置Ｍ２に配置された原稿載置台を正面側左斜め上方から見た斜視図である。
【図９】原稿押圧板が閉鎖位置Ｍ２に配置されたときの押し出し機構の状態を示す左側面図である。
【図１０】原稿押圧板が閉鎖位置Ｍ２に配置されたときの押し出し機構の状態を示す斜視図である。
【符号の説明】
【００５７】
１……画像形成装置、２……画像形成装置本体、１４……画像読取部、１５……原稿載置台、１６……画像読取装置、５０……原稿載置台本体、５１……原稿押圧板、５４……後端位置決め部材、５５……後端規制面、５７……左端位置決め部材、５８……左端規制面、７５……揺動軸、８０……押し出し機構、８１……カム部材、８２……押し出し部材、８３……圧縮ばね（付勢部材）、８５ｃ……先端、８４……カム面、
【図１】
2008203722.tif 000003
【図２】
2008203722.tif 000004
【図３】
2008203722.tif 000005
【図４】
2008203722.tif 000006
【図５】
2008203722.tif 000007
【図６】
2008203722.tif 000008
【図７】
2008203722.tif 000009
【図８】
2008203722.tif 000010
【図９】
2008203722.tif 000011
【図１０】
2008203722.tif 000012